(57)【特許請求の範囲】
【請求項１】
無線インスタントメッセージング中にクライアント間でマルチメディアデータファイルを共有する方法であって、
送信側クライアントが、受信側クライアントと共有するためのマルチメディアデータファイルをマルチメディアメッセージサービス（ＭＭＳ）機能を用いてサーバに転送すると共に、該マルチメディアデータファイルのサーバ内におけるファイル位置情報及び前記受信側クライアントの識別子を含むファイル送信命令を無線インスタントメッセージングのためのサーバとクライアント間のコマンドラインプロトコル（ＣＬＰ）に追加してＣＬＰメッセージで前記サーバに転送する段階と、
前記サーバが、前記ファイル送信命令を受信すると、前記ファイル位置情報及び前記送信側クライアントの識別子を含むファイル受信命令をＣＬＰに追加してＣＬＰメッセージで前記受信側クライアントに転送する段階と、
前記受信側クライアントが、前記ファイル受信命令を受信すると、ＭＭＳプロトコルを使用し前記ファイル位置情報に基づいて前記マルチメディアデータファイルを前記サーバからダウンロードする段階と、
を含んで構成されることを特徴とする方法。
【請求項２】
前記サーバが、ＷＶサーバを含むことを特徴とする請求項１記載の方法。
【請求項３】
前記送信側クライアント及び前記受信側クライアントが、携帯端末機であることを特徴とする請求項１記載の方法。
【請求項４】
無線インスタントメッセージング中に、無線インスタントメッセージングのためのサーバとクライアント間のコマンドラインプロトコル（ＣＬＰ）に相手端末機からサーバに送信されたマルチメディアデータファイルの該サーバ内におけるファイル位置情報及び相手端末機の識別子を含むファイル受信命令が追加されたＣＬＰメッセージを前記サーバから受信すると、ＭＭＳプロトコルを使用し前記ファイル位置情報に基づいて前記マルチメディアデータファイルを前記サーバからダウンロードすることを特徴とする携帯端末機。
【請求項５】
無線インスタントメッセージング中に、相手端末機と共有するためのマルチメディアデータをマルチメディアメッセージサービス（ＭＭＳ）機能を用いて前記サーバに転送すると共に、該マルチメディアデータファイルの前記サーバ内におけるファイル位置情報及び相手端末機の識別子を含むファイル送信命令をＣＬＰに追加してＣＬＰメッセージで前記サーバに転送することを特徴とする請求項４記載の携帯端末機。
【請求項６】
前記ダウンロードの進行状況、完了、ダウンロードファイルの保存に関する情報を表示することを特徴とする請求項４記載の携帯端末機。
【請求項７】
前記サーバは、ＷＶサーバであることを特徴とする請求項４記載の携帯端末機。
【請求項８】
無線インスタントメッセージング中にクライアント間にマルチメディアデータファイルを共有させるサーバであって、
送信側クライアントから、マルチメディアメッセージサービス（ＭＭＳ）機能を用いて転送される、受信側クライアントと共有するためのマルチメディアデータファイルと、無線インスタントメッセージングのためのサーバとクライアント間のコマンドラインプロトコル（ＣＬＰ）に追加されてＣＬＰメッセージで転送される、該マルチメディアデータファイルの転送先であるサーバ内のファイル位置情報及び前記受信側クライアントの識別子を含むファイル送信命令と、を受信すると、前記ファイル位置情報及び前記送信側クライアントの識別子を含むファイル受信命令をＣＬＰに追加してＣＬＰメッセージで前記受信側クライアントに転送し、前記受信側クライアントに、ＭＭＳプロトコルを使用させ前記ファイル位置情報に基づいて前記転送されたマルチメディアデータファイルをダウンロードさせることを特徴とするサーバ。
【請求項９】
ＷＶサーバであることを特徴とする請求項８記載のサーバ。
【発明の詳細な説明】
【技術分野】
【０００１】
本発明は、インスタントメッセージングサービスに関し、特に、無線インスタントメッセージング中にマルチメディアデータファイルを共有する方法及びマルチメディアデータファイルの送受信をサポートする携帯端末機（移動通信端末）に関する。
【背景技術】
【０００２】
近年、ショートメッセージサービス（Short Message Service；ＳＭＳ）、マルチメディアメッセージングサービス（Multimedia Messaging Service；ＭＭＳ）、電子メールなどの多様なメッセージングサービスが、インターネットユーザに幅広く使用されている。特に、インスタントメッセージングは、最近になって爆発的にその需要が増加しているメッセージングサービスであって、ＭＭＳのようにテキストだけでなくマルチメディアデータを転送することができ、電子メールに比べてリアルタイムに近く、メッセージをやり取りすることができるという利点を有している。しかしながら、これは、有線インターネット環境（即ち、ＰＣユーザ間）に該当し、携帯電話やＰＤＡ（Personal Digital Assistants）のような携帯端末機を利用した無線環境には適さないものである。その理由は次のとおりである。
【０００３】
一般に、無線インスタントメッセージング、即ち、携帯端末機でのインスタントメッセージングは、ＯＭＡ（Open Mobile Alliance）のスペックに従っている。
【０００４】
ＯＭＡとは、世界的な無線装備及びサービス関連企業が、互換可能な無線サービスのための仕様の開発と、これによる無線サービスの拡大を目的に設立した団体をいう。ＯＭＡの仕様に従うと、インスタントメッセージサービスにおけるベアラとしてＳＭＳを利用することができる。
【０００５】
ＳＭＳは、初期に確立された単一の仕様であり、安価な料金体系、多様な付加サービスの提供などにより、欧米とアジア地域を中心に既に広範囲な利用者基盤を有している。また、標準化の問題で市場の拡散に多くの困難があった米国でも、その普及が本格化しており、今後も数年間市場の拡大が続くと予想されている。
【０００６】
しかしながら、このようにＳＭＳをベアラとして利用する場合、ＳＭＳの転送容量の限界により、容量の大きいマルチメディアデータの転送に問題がある。また、データ呼を使用するインスタントメッセージングの場合、音声呼中にインスタントメッセージング機能を使用できないという欠点があった。
【０００７】
さらに、容量の大きいマルチメディアデータを転送するための従来のＭＭＳの場合は、リアルタイムメッセージングが保障されないため、携帯端末機ユーザ間又は携帯端末機ユーザとＰＣユーザ間でのインスタントメッセージングを利用したコミュニケーションが根本的に不可能であった。
【０００８】
従って、従来技術においては、携帯端末機間又は携帯端末機とＰＣ間での無線インスタントメッセージングサービスにおけるファイル転送、特に、音楽ファイル、写真ファイル、動画ファイルのような容量の大きいマルチメディアデータの転送が不可能であるという技術的な制限があり、ユーザに不便をもたらすという欠点があった。
【発明の開示】
【発明が解決しようとする課題】
【０００９】
本発明は、このような従来技術の問題を解決するためになされたもので、ＳＭＳをベアラとして利用する無線インスタントメッセージングサービスにおいて、無線インスタントメッセージング中にクライアント間でマルチメディアデータファイルの送受信を可能にした、該マルチメディアデータファイルを共有する方法を提供することを目的とする。
【００１０】
本発明の他の目的は、ＳＭＳをベアラとして利用するインスタントメッセージングサービスにおいて、インスタントメッセージング中に少なくとも１つの他の携帯端末機とのファイル送受信を可能にした、インスタントメッセージングサービスにおけるファイル転送をサポートする携帯端末機を提供することにある。
【課題を解決するための手段】
【００１１】
上記の目的を達成するために、本発明による無線インスタントメッセージング中にクライアント間でマルチメディアデータファイルを共有する方法は、送信側クライアントが、受信側クライアントと共有するためのマルチメディアデータファイルをマルチメディアメッセージサービス（ＭＭＳ）機能を用いてサーバに転送すると共に、該マルチメディアデータファイルのサーバ内におけるファイル位置情報及び前記受信側クライアントの識別子を含むファイル送信命令を無線インスタントメッセージングのためのサーバとクライアント間のコマンドラインプロトコル（ＣＬＰ）に追加してＣＬＰメッセージで前記サーバに転送する段階と、前記サーバが、前記ファイル送信命令を受信すると、前記ファイル位置情報及び前記送信側クライアントの識別子を含むフィル受信命令をＣＬＰに追加してＣＬＰメッセージで前記受信側クライアントに転送する段階と、前記受信側クライアントが、前記ファイル受信命令を受信すると、ＭＭＳプロトコルを使用し前記ファイル位置情報に基づいて前記マルチメディアデータファイルを前記サーバからダウンロードする段階と、を含んで構成されることを特徴とする。
【００１４】
上記の目的を達成するために、本発明による携帯端末機は、無線インスタントメッセージング中に、無線インスタントメッセージングのためのサーバとクライアント間のコマンドラインプロトコル（ＣＬＰ）に相手端末機からサーバに送信されたマルチメディアデータファイルの該サーバ内におけるファイル位置情報及び相手端末機の識別子を含むファイル受信命令が追加されたＣＬＰメッセージを前記サーバから受信すると、ＭＭＳプロトコルを使用し前記ファイル位置情報に基づいて前記マルチメディアデータファイルを前記サーバからダウンロードすることを特徴とする。
【００１５】
さらに、上記の目的を達成するために、本発明による無線インスタントメッセージング中にクライアント間にマルチメディアデータファイルを共有させるサーバは、送信側クライアントから、マルチメディアメッセージサービス（ＭＭＳ）機能を用いて転送される、受信側クライアントと共有するためのマルチメディアデータファイルと、無線インスタントメッセージングのためのサーバとクライアント間のコマンドラインプロトコル（ＣＬＰ）に追加されてＣＬＰメッセージで転送される、該マルチメディアデータファイルの転送先であるサーバ内のファイル位置情報及び前記受信側クライアントの識別子を含むファイル送信命令と、を受信すると、前記ファイル位置情報及び前記送信側クライアントの識別子を含むフィル受信命令をＣＬＰに追加してＣＬＰメッセージで前記受信側クライアントに転送し、前記受信側クライアントに、ＭＭＳプロトコルを使用させ前記ファイル位置情報に基づいて前記転送されたマルチメディアデータファイルをダウンロードさせることを特徴とする。
【発明の効果】
【００１６】
本発明による無線インスタントメッセージング中にマルチメディアデータファイルを共有する方法及びマルチメディアデータファイルの送受信をサポートする携帯端末機は、携帯端末機を利用した無線インスタントメッセージングサービスにおいて、無線インスタントメッセージングのためのサーバとクライアント間のプロトコルにファイル転送関連の新しい命令を追加し、該追加された命令及びＭＭＳ機能を用いて、クライアント（携帯端末機）間でファイルを送受信する。これより、ユーザと相手は、有線インターネットのように、無線環境でもインスタントメッセージングサービス中にファイルを送受信して共有できるという効果がある。
【発明を実施するための最良の形態】
【００１７】
以下、添付の図面を参照して本発明の好ましい実施形態を説明する。
【００１８】
本発明の説明において、関連の公知機能又は構成に関する具体的な説明が本発明の要旨を不明確にすると判断された場合、その詳細な説明は省略する。
【００１９】
図１は本発明を実施するための無線インスタントメッセージングサービスシステムの構成を示す構成図である。
【００２０】
図１に示すように、無線インスタントメッセージングサービスシステムは、無線インスタントメッセージングサービス及びプレゼンスサービスを提供するサーバ１１０、１１２と、サーバ１１０、１１２を介して相互間に無線インスタントメッセージング及び無線インスタントメッセージング中に、マルチメディアデータファイルの送受信を行うクライアント１２０、１２２、１２４とから構成される。
【００２１】
サーバ１１０、１１２は、ワイヤレスビレッジ（Wireless Village；ＷＶ）サーバであって、インスタントメッセージング及びプレゼンスサービス（Instant Messaging and Presence Service；ＩＭＰＳ）サーバ、又は無線インスタントメッセージングサービス（Wireless Instant Messaging Service；ＷＩＭＳ）サーバと呼ばれ、クライアント１２０、１２２、１２４は、携帯電話やＰＤＡのような携帯端末機である。
【００２２】
プレゼンスサービスとは、相手の現在の状態に関する情報を提供するサービスをいい、相手が現在リアルタイム通信が可能な状態であるか、どのサービスが使用可能か、相手が現在何をしているか、気分状態（emotional state）はどうかなど、相手に関する多様な情報をユーザに提供する。
【００２３】
サーバ１１０、１１２は、ＳＭＣＮＰ（Server to Mobile Core Network Protocol）１５０を介してモバイルコアネットワーク（Mobile Core Network；ＭＣＮ）１３０と接続され、ＳＳＰ（Server to Server Protocol）１６０を介して相互接続されて私設網（proprietary network）１４０と接続される。
【００２４】
クライアント１２０、１２２、１２４は、ＣＬＰ（Command Line Protocol）１７０を介して、サーバ１１０、１１２と直接接続されるか、又は私設網１４０へのリンクにより間接的に接続される。
【００２５】
ＣＬＰ１７０は、クライアントのログイン／アウトなどのセッション管理、プレゼンスサービス、インスタントメッセージングサービス、グループサービスなどの一部をサポートするプロトコルであり、本発明においては、ＣＬＰ１７０のような無線インスタントメッセージングのためのサーバとクライアント間のプロトコルに、ファイル転送命令を追加することにより、インスタントメッセージング中におけるファイル転送を可能にする。
【００２６】
ファイル転送命令は、ファイル送信命令とファイル受信命令とを含み、ファイル送信命令は、少なくとも１つの受信側クライアント識別子とファイル位置情報とを含むメッセージ（ＣＬＰメッセージ）として作成されて、送信側クライアントからサーバに転送される。
【００２７】
ファイル送信命令を受信したサーバは、少なくとも１つの受信側クライアントにファイル受信命令を転送するが、ファイル受信命令は、送信側クライアント識別子とファイル位置情報とを含むメッセージ（ＣＬＰメッセージ）として作成される。
【００２８】
例えば、ファイル送信命令は、IMPS:To<UserID>:<File Location URL>のように構成して、ＵｓｅｒＩＤ（受信側クライアント識別子）と、ファイル位置ＵＲＬ（Uniform Resource Locator）と、を含んで構成される。サーバは、ファイル送信命令を受信すると、受信側クライアントにファイル受信命令を転送する。ファイル受信命令は、IMPS:From<UserID>:<File Location URL>のように構成して、ファイル位置ＵＲＬと、ＵｓｅｒＩＤ（送信側クライアント識別子）と、を含んで構成される。これにより送信側クライアントからサーバに転送されたファイルをダウンロードすることを受信側クライアントに命令する。
【００２９】
図２は、クライアント、即ち、本発明の一実施形態によるインスタントメッセージングサービスにおけるファイル転送をサポートする携帯端末機の構成を示す構成図である。
【００３０】
図２に示すように、インスタントメッセージングサービスにおけるファイル転送をサポートする携帯端末機２００は、サーバと信号をやり取りする送受信部２１０と、インスタントメッセージング中のファイル転送のために追加されたファイル転送命令を保存するメモリ部２２０と、インスタントメッセージングサービス画面を出力するディスプレイ部２３０と、少なくとも１つの相手端末機に転送するファイル及びファイル転送命令をサーバに転送するように処理する処理部２４０とから構成される。
【００３１】
処理部２４０は、無線インスタントメッセージング中に、サーバからファイル受信命令を受けると、該当ファイル位置に接続して、ＭＭＳクライアントとして動作しない状態でＭＭＳプロトコルのみを使用して、送受信部２１０によりファイルをダウンロードしてメモリ部２２０に保存する。
【００３２】
前述したように、ファイル送信命令は、IMPS:To<UserID>:<File Location URL>のように、受信側クライアント識別子とファイル位置情報とを含み、ファイル受信命令は、IMPS:From<UserID>:<File Location URL>のように、送信側クライアント識別子とファイル位置情報とを含む。
【００３３】
図３は、本発明の一実施形態によるインスタントメッセージングサービスにおけるファイル転送方法を示すフローチャートである。
【００３４】
図３に示すように、送信側クライアント（携帯端末機）であるユーザは、インスタントメッセージング中にファイル転送機能を設定すると（Ｓ３１０）、サーバとの間にマルチメディアメッセージングサービスのデータチャネルが確立される（Ｓ３２０）。データチャネルが確立され、ユーザの設定によりサーバにファイル（マルチメディアファイル）を転送するときに、ファイル送信命令を共に転送する（Ｓ３３０）。
【００３５】
ファイル送信命令は、IMPS:To<UserID>:<File Location URL>のように、受信側クライアントを識別するための受信側クライアント識別子と、ファイル位置情報とを含み、ＣＬＰを介して転送される。
【００３６】
サーバは、ファイル送信命令を受信すると、受信したファイル転送命令からファイル受信命令を作成して、これを受信側クライアントに転送する（Ｓ３４０）。
【００３７】
ファイル受信命令は、IMPS:From<UserID>:<File Location URL>のように、ファイルを転送した送信側クライアントを識別するための送信側クライアント識別子と、ファイル位置情報とを含み、ＣＬＰを介して受信側クライアントに転送される。
【００３８】
受信側クライアントがファイル受信命令を受信すると、サーバとの間にマルチメディアメッセージングサービスのデータチャネルが確立される（Ｓ３５０）。その後、受信側クライアントは、ＭＭＳプロトコルのみを使用して、ファイル位置からファイルをダウンロードする（Ｓ３６０）。また、受信側クライアントは、ダウンロードするファイルのダウンロード進行状況、ダウンロード完了、ダウンロードファイルの保存などの情報をディスプレイ部２４０に表示する（Ｓ３７０）。
【図面の簡単な説明】
【００３９】
【図１】本発明を実施するためのインスタントメッセージングサービスシステムの構成を示す構成図である。
【図２】本発明の一実施形態によるインスタントメッセージングサービスにおけるファイル転送をサポートする携帯端末機の構成を示す構成図である。
【図３】本発明の一実施形態によるインスタントメッセージングサービスにおけるファイル転送方法を示すフローチャートである。
【符号の説明】
【００４０】
１１０、１１２  サーバ
１２０、１２２、１２４  クライアント
１３０  モバイルコアネットワーク
１４０  私設網
１５０  ＳＭＣＮＰ
１６０  ＳＳＰ
１７０  ＣＬＰ
２００  携帯端末機
２１０  送受信部
２２０  メモリ
２３０  ディスプレイ部
２４０  処理部
【図１】
0004809035.tif 000002
【図２】
0004809035.tif 000003
【図３】
0004809035.tif 000004